(57)【要約】【課題】音響効果に興味を持たない利用者にも音響効果が利用される可能性を高くすること。【解決手段】音響再生装置１は、音響効果を前記音響信号に付加する付加部１０１と、音響効果を付加した音響信号が所定回数又は所定の再生時間の間再生されると、音響効果が音響信号に付加されていることを出力装置を介して利用者に通知する通知部１０５と、その通知後に、今後も音響効果を音響信号に付加するか否かを表す情報を入力装置から受け付ける受付部１０４とを備える。【選択図】図１
2008054001.tif 000002
【特許請求の範囲】
【請求項１】
音響効果を音響信号に付加して再生する音響再生装置において、
前記音響効果を前記音響信号に付加する付加部と、
前記音響効果を付加した音響信号が所定回数又は所定の再生時間の間再生されると、前記音響効果が前記音響信号に付加されていることを出力装置を介して利用者に通知する通知部と、
前記通知部による通知後に、今後も前記音響効果を前記音響信号に付加するか否かを表す情報を入力装置から受け付ける受付部とを備える、音響再生装置。
【請求項２】
前記付加部は、今後も前記音響効果を前記音響信号に付加することを表す情報を前記受付部が受け付けた場合、該音響効果を前記音響信号に引き続き付加し、今後前記音響効果を前記音響信号に付加しないことを表す情報を受け付けた場合、該音響効果を前記音響信号に付加しない、請求項１に記載の音響再生装置。
【請求項３】
前記付加部は、前記音響効果を前記音響信号に付加する際に、その効果量を段階的に大きくする、請求項１に記載の音響再生装置。
【請求項４】
前記受付部は、前記音響効果を前記音響信号に付加するときの効果量を表す情報をさらに受け付ける、請求項１に記載の音響再生装置。
【請求項５】
音響効果を音響信号に付加して再生する音響再生装置にて用いられる集積回路であって、
前記音響効果を前記音響信号に付加する付加部と、
前記音響効果を付加した音響信号が所定回数又は所定の再生時間の間再生されると、前記音響効果が前記音響信号に付加されていることを出力装置を介して利用者に通知する通知部と、
前記通知部による通知後に、今後も前記音響効果を前記音響信号に付加するか否かを表す情報を入力装置から受け付ける受付部とを備える、集積回路。
【発明の詳細な説明】
【技術分野】
【０００１】
本発明は、音響効果を音響信号に付加して再生する音響再生装置に関する。
【背景技術】
【０００２】
従来の音響再生装置としては、音源から入力された音響信号に対してイコライジング、反射音制御および残響音制御などの音響効果を付加する音響効果付加部、音響効果の有効・無効、効果量の変更などの入力を受け付ける操作ボタンやタッチパネルなどの入力部、音響効果の説明や状態を表示する液晶ディスプレイなどの表示部、ならびに、各部を制御する音響効果制御部で構成されるものがある。
【０００３】
上記の音響再生装置は、音響効果およびその効果量が再生音に対してどのような効果を及ぼすのかを理解し易くするため、その効果を視覚的に認識できるような画像を表示部に表示し、これにより、専門的な知識を持たない利用者にも、音響効果の効果量の調整を容易にしていた（例えば、特許文献１参照）。
【特許文献１】特開２０００−３５６９９４号公報
【発明の開示】
【発明が解決しようとする課題】
【０００４】
しかしながら、従来の音響再生装置には、音響効果に関する興味を持たず効果量の調整すら行わない利用者が音響効果を利用しないことが多いといった問題があった。
【０００５】
本発明は、従来の問題を解決するためになされたもので、音響効果に関する興味を持たない利用者にも音響効果が利用される可能性を高くすることができる音響再生装置を提供することを目的とする。
【課題を解決するための手段】
【０００６】
上記目的を達成するために、音響効果を音響信号に付加して再生する音響再生装置において、前記音響効果を前記音響信号に付加する付加部と、前記音響効果を付加した音響信号が所定回数又は所定の再生時間の間再生されると、前記音響効果が前記音響信号に付加されていることを出力装置を介して利用者に通知する通知部と、前記通知部による通知後に、今後も前記音響効果を前記音響信号に付加するか否かを表す情報を入力装置から受け付ける受付部とを備える。
【０００７】
なお、本発明は、音響再生装置以外の形態として、集積回路により実現される。
【発明の効果】
【０００８】
本発明の音響再生装置は、利用者に無意識のうちに音響効果を体験させた後、この音響効果を今後も音響信号に付加するか否かを利用者に選択させる。これによって、音響効果に興味を持たない利用者にも、音響効果に対する興味を深めさせて、音響効果が利用される可能性を高くすることができる。
【発明を実施するための最良の形態】
【０００９】
（第１の実施の形態）
以下、本発明の実施の形態について、図面を参照して説明する。
【００１０】
図１は、本発明の第１の実施の形態に係る音響再生装置１の構成を示すブロック図である。
【００１１】
図１において、音響再生装置１は、付加部１０１と、計測部１０２と、制御部１０３と、受付部１０４と、通知部１０５とを備え、音源２と、操作ボタンおよび／またはタッチパネル等の入力装置３と、液晶ディスプレイ等の表示装置４と、スピーカ５とに接続されている。
【００１２】
付加部１０１は、複数の音響効果付加部によって構成され、各音響効果について、有効、無効、または、未設定のいずれかの状態を表す情報を記憶し、有効な音響効果についてはさらにその効果量を表す情報を記憶する。ここで、有効とは、音源２からの音響信号に音響効果を付加することを意味し、無効とは、該音響信号に音響効果を付加しないことを示し、さらに、未設定とは、該音響信号に音響効果を有効にするか無効にするか設定されていないことを示す。また、付加部１０１は、制御部１０３の制御に従って、音源２からの音響信号に音響効果を付加する処理を行い、該音響信号をスピーカ５に出力する。
【００１３】
計測部１０２は、音響効果が付加された音響信号の再生量として、例えば再生時間を計測する。また、計測部１０２は、一時停止または電源オフ等によって再生が停止された時点で計測した再生量を記憶して、再生の再開後、計測を続行する。
【００１４】
制御部１０３は、音響再生装置１を構成する各部を制御する。
【００１５】
受付部１０４は、利用者によって入力装置３に入力された情報を取得して、取得した情報を制御部１０３に伝達する。
【００１６】
通知部１０５は、制御部１０３の制御の基に、各種情報を表示装置４に表示する。
【００１７】
以上のように構成された音響再生装置１について、図２を用いてその動作を説明する。なお、音響再生装置１は、音源２から出力された音響信号を再生中の状態で、以下の動作を開始するものとする。
【００１８】
まず、制御部１０３によって、未設定の音響効果を音響信号に、利用者の選択とは関係無く強制的に付加するよう付加部１０１が制御され、この音響効果が付加された音響信号がスピーカ５から再生される（Ｓ１１）。
【００１９】
次に、計測部１０２によって、再生時間Ｔの計測が開始される（Ｓ１２）。
【００２０】
計測部１０２によって計測された再生時間Ｔが所定の時間Ｔ１以上になると（Ｓ１３でＹＥＳ）、ステップＳ１１で再生された音響信号に音響効果が付加されていたこと、および、この音響効果に関する情報（例えば、音響効果の説明）が、通知部１０５によって表示装置４に表示される（Ｓ１４）。
【００２１】
次に、この音響効果を今後も有効にするか無効にするかおよび有効にする場合の効果量を利用者に問い合わせる情報が、通知部１０５によって表示装置４に表示され、利用者により入力装置３に入力された情報が受付部１０４によって取得される（Ｓ１５）。
【００２２】
この音響効果を有効にすることおよびその効果量を表す情報が受付部１０４から伝達されると（Ｓ１６でＹＥＳ）、制御部１０３によって付加部１０１が制御され、伝達された効果量でこの音響効果が付加された音響信号がスピーカ５から再生される（Ｓ１７）。
【００２３】
一方、この音響効果を無効にすることを表す情報が受付部１０４から伝達されると（Ｓ１６でＮＯ）、制御部１０３によって付加部１０１が制御され、この音響効果が付加されない音響信号がスピーカ５から再生される（Ｓ１８）。
【００２４】
なお、上記の動作において、所定の時間Ｔ１は、それぞれの音響効果ごとに、その効果を利用者が感じるために十分だと考えられる時間として、例えば、効果を感じにくい音響効果の場合は１ヶ月間、効果を感じやすい音響効果の場合は３日間などのようにあらかじめ定められる。
【００２５】
このような音響再生装置１は、利用者に無意識のうちに音響効果を所定の再生時間だけ体験させた後、体験させた音響効果に関する情報を利用者に通知して、この音響効果を有効にするか無効にするかを利用者に選択させる。これによって、音響再生装置１は、音響効果に興味を持たない利用者にも、音響効果を所定の再生時間だけ体験させて該音響効果の説明を理解させやすく、音響効果に対する興味を深めさせて、音響効果が利用される可能性を高くすることができる。
【００２６】
なお、本実施の形態において、計測部１０２が、音響効果が付加された音響信号の再生量として再生時間を計測するものとしたが、音響効果を利用者にどの程度体験させたかを表すものであれば、他の尺度を用いて再生量を計測してもよい。例えば、再生量は、音響効果が付加された音響信号の再生回数であってもよい。具体的には、計測部１０２は、音響効果が付加された音響信号が再生されてから該音響信号が表す楽曲の区切りの回数を再生量として計測するようにしてもよい。この場合、音響再生装置１は、図２のステップＳ１２において楽曲の区切りの回数Ｃの計測を開始し、ステップＳ１３において回数Ｃが所定の回数Ｃ１以上であるか否かを判断する。
【００２７】
ここで、所定の回数Ｃ１は、それぞれの音響効果ごとに、その効果を利用者が感じるために十分だと考えられる回数として、例えば、効果を感じにくい音響効果の場合は３０回、効果を感じやすい音響効果の場合は５回などのようにあらかじめ定められる。
【００２８】
このように構成された音響再生装置１は、所定の楽曲数に達するまで様々な楽曲に対して音響効果を付加することにより、特定の楽曲に対してのみ付加された音響効果に対して利用者が偏った悪い印象を持つことを防止することができる。これによって、音響再生装置１は、音響効果に興味を持たない利用者にも偏った悪い印象を与えることなく音響効果を体験させることができ、音響効果が利用される可能性を高くすることができる。
【００２９】
（第２の実施の形態）
次に、本発明の第２の実施の形態について説明する。
【００３０】
図３は、本発明の第２の実施の形態に係る音響再生装置１０の構成を示すブロック図である。図３において、音響再生装置１０は、前述の音響再生装置１と比較すると、計測部１０２の代わりに、計測部１０２０を備える点で相違する。それ以外の構成については、音響再生装置１および１０の間に相違点は無い。それ故、図３において、図１に示す構成に相当するものには、同一の参照符号を付け、それぞれの説明を省略する。
【００３１】
計測部１０２０は、音響効果が付加されてからの音響信号の再生時間Ｔに加えて、音響効果の効果量が変更されてからの経過時間ｔを計測する。
【００３２】
このように構成された音響再生装置１０の動作を、図４を用いて説明する。なお、図４において、音響再生装置１と同様に動作するステップについては同一の符号を付して説明を省略する。また、音響再生装置１０は、音源２から出力された音響信号を再生中の状態で、以下の動作を開始するものとする。
【００３３】
まず、制御部１０３によって、未設定の音響効果を最小の効果量で音響信号に付加するよう付加部１０１が制御され、この音響効果が付加された音響信号がスピーカ５から再生される（Ｓ２１）。
【００３４】
次に、計測部１０２０によって、再生時間Ｔおよび経過時間ｔの計測が開始される（Ｓ２２）。
【００３５】
次に、計測部１０２０によって計測された再生時間Ｔが所定の時間Ｔ１以上になると（Ｓ１３でＹＥＳ）、音響再生装置１０は、ステップＳ１４〜Ｓ１８まで、音響再生装置１と同様に動作する。
【００３６】
一方、計測部１０２０によって計測された再生時間Ｔが所定の時間Ｔ１未満の場合（Ｓ１３でＮＯ）、経過時間ｔが所定の時間Ｔ２以上であるか否かが制御部１０３によって判断される（Ｓ２３）。
【００３７】
経過時間ｔが所定の時間Ｔ２以上であると判断された場合、現在の効果量が規定値Ｍ未満であるか否かが制御部１０３によって判断される（Ｓ２４）。
【００３８】
現在の効果量が規定値Ｍ未満であると判断された場合、制御部１０３によって、音響信号に付加されているこの音響効果の効果量が所定の値だけ増加するよう付加部１０１が制御されるとともに、計測部１０２０によって、経過時間ｔの計測が再びゼロから開始される（Ｓ２５）。
【００３９】
ここで、Ｔ２は、効果量が時間Ｔ１で最小値から規定値Ｍに達するようにあらかじめ定められる。すなわち、最小の効果量から規定値Ｍまで、利用者は各音響効果に対して段階的に効果量を設定でき、その段階数をＮとすると、Ｔ２は、以下の式（１）により定められる。
【００４０】
Ｔ２＝Ｔ１／（Ｎ−１）                         ・・・（１）
このような音響再生装置１０は、未設定の音響効果を音響信号に付加する際にその効果量を段階的に増加させていくので、利用者に音響効果を違和感なく体験させることができる。これによって、音響効果に興味を持たない利用者にも、音響効果を違和感なく体験させてから該音響効果を有効にするか無効にするかを選択させることができ、音響効果が利用される可能性を高くすることができる。
【００４１】
なお、計測部１０２０は、第１の実施の形態における計測部１０２と同様に、音響効果を利用者にどの程度体験させたかを表すものであれば、再生時間以外の尺度を用いて再生量を計測してもよい。例えば、計測部１０２０は、音響効果が付加された音響信号が再生されてから該音響信号が表す楽曲の区切りの回数を再生量として計測するようにしてもよい。
【産業上の利用可能性】
【００４２】
以上のように、本発明に係る音響再生装置は、音響効果に興味を持たない利用者にも音響効果が利用される可能性を高くすることができるという効果を有する音響再生装置等として有用である。
【図面の簡単な説明】
【００４３】
【図１】本発明の第１の実施の形態に係る音響再生装置のブロック図
【図２】本発明の第１の実施の形態に係る音響再生装置の動作を説明するフロー図
【図３】本発明の第２の実施の形態に係る音響再生装置のブロック図
【図４】本発明の第２の実施の形態に係る音響再生装置の動作を説明するフロー図
【符号の説明】
【００４４】
１、１０  音響再生装置
２  音源
３  入力装置
４  表示装置
５  スピーカ
１０１  付加部
１０２、１０２０  計測部
１０３  制御部
１０４  受付部
１０５  通知部
【図１】
2008054001.tif 000003
【図２】
2008054001.tif 000004
【図３】
2008054001.tif 000005
【図４】
2008054001.tif 000006